(57)【要約】 【課題】分別した資源ゴミを入れた収納袋を壁面に吊り下げることで、床のスペースを取らなくて済み、また臭いを防ぎ、大小の収納袋にも対応できる収納袋保持装置を提供する。【解決手段】収納袋保持台に、収納袋を吊り下げるフックと、前記フックの下部に収納袋を保持台方向に押圧して収納袋開口部を一時的に閉成する押圧部材を設ける。【選択図】  図1
2012224426.tif 000002
【特許請求の範囲】
【請求項１】
収納袋保持台に収納袋を吊り下げるフックを設けるとともに、前記フックの下部に収納袋を保持台方向に押圧して収納袋開口部を一時的に閉成する押圧部材を設けたことを特徴とする収納袋保持装置。
【請求項２】
前記保持台の少なくとも一部に磁性部材を有し、押圧部材は磁石である請求項１に記載の収納袋保持装置。
【請求項３】
前記保持台に磁石が装着され押圧部材は磁性部材である請求項１に記載の収納袋保持装置。
【請求項４】
前記押圧部材は左右の端部が保持台に固着された伸縮性の紐である請求項１に記載の収納袋保持装置。
【請求項５】
前記押圧部材は左右の端部が保持台に着脱可能に取り付けられた伸縮性の紐である請求項１記載の収納袋保持装置。
【請求項６】
前記押圧部材は、一端部が保持台に固定、又は着脱可能とし、他端は保持台に着脱可能に取り付けられた押え棒である請求項１記載の収納袋保持装置。
【請求項７】
前記保持台の左右端部の押圧部材取り付け位置が複数箇所有することを特徴とする請求項１から６の何れか１項に記載の収納袋保持装置。
【請求項８】
前記保持台に、押圧部材位置の上部、又は下部に押圧部材に沿って凸部を設けたことを特徴とする請求項１もしくは請求項４から７の何れか１項に記載の収納袋保持装置。
【発明の詳細な説明】
【技術分野】
【０００１】
本発明は、家庭において資源ゴミをリサイクルする際に、レジ袋を再利用して資源ゴミ毎に分別して一時的に保管することのできる収納袋保持装置に関するものである。
【背景技術】
【０００２】
従来より、ペットボトル、カン、プラスチック、ビンなどは、資源ゴミとしてリサイクルするために、各資源ゴミ毎に地方自治体が定める収集日に、ゴミステーションに出さなければいけない。このため、該当する資源ゴミの収集日まで家庭内において各資源ゴミを個別の袋等に保管する必要がある。資源ゴミを保管するには、例えば、スーパーマーケットのレジ袋に入れておくことが考えられる。しかしながら、レジ袋に資源ゴミをそれぞれ入れて台所の床にて保管した場合、分別する資源ゴミの種類が多くなると、レジ袋の数が多くなり台所の床のスペースが各資源ゴミを入れたレジ袋で占有され狭くなる。
また、レジ袋の口が開いている場合は、ビンやカンなどはサッと洗っても、特に夏場は臭いがするという問題がある。
【０００３】
このため、この種の収納としては、例えば、特許文献１に示すようなゴミ袋ホルダーや、特許文献２に示す分別リサイクルホルダーや、特許文献３に示すレジ袋屑入れ、また特許文献４に示す紐体吊り支持具が開示されている。
【０００４】
ところが、文献１のゴミ袋ホルダーにおいては、把手部を開いた状態で引っ掛けて吊り下げるので、臭いを防ぐことが出来ない。
【０００５】
また、文献２の分別リサイクルホルダーにおいては、床の上に置いて使用するため床スペースが必要で、邪魔になり、また文献１と同様で臭いを防ぐことが出来ない。
【０００６】
また、文献３のレジ袋屑入れにおいては、文献１と同様で、把手部を開いた状態で引っ掛けて吊り下げるので、臭いを防ぐことが出来ない。
【０００７】
また、文献４の紐体吊り支持具においては、大きいレジ袋で手提げ取っ手が長い場合は袋の開口部を閉成することが出来ず臭いを防ぐことが出来ない。
【先行技術文献】
【特許文献】
【０００８】
【特許文献１】特開平０９−２９０９０１
【特許文献２】特開２００６−１６８９８５
【特許文献３】特開２００１−２４０２０８
【特許文献４】特開２０１０−６９１９５
【発明の概要】
【発明が解決しようとする課題】
【０００９】
本発明は、上記のような課題を解決し、吊り下げることで床のスペースが要らず、また臭いを防ぎ、大小の袋にも対応できる収納袋保持装置を提供しようとするものである。
【課題を解決するための手段】
【００１０】
上記課題を解決するために、本発明は、収納袋保持台に収納袋を吊り下げるフックを設けるとともに、前記フックの下部に収納袋を保持台方向に押圧して収納袋開口部を一時的に閉成する押圧部材を設けた。
【００１１】
また、請求項２の発明では、前記保持台の少なくとも一部に磁性部材を有し、押圧部材は磁石であることを特徴とするものである。
【００１２】
また、請求項３の発明では、前記保持台に磁石が装着され押圧部材は磁性部材であることを特徴とするものである。
【００１３】
また、請求項４の発明では、押圧部材は左右の端部が保持台に固着された伸縮性の紐であることを特徴とするものである。
【００１４】
また、請求項５の発明では、押圧部材は左右の端部が保持台に着脱可能に取り付けられた伸縮性の紐であることを特徴とするものである。
【００１５】
また、請求項６の発明では、押圧部材は、一端部が保持台に固定、又は着脱可能とし、他端は保持台に着脱可能に取り付けられた押え棒であることを特徴とするものである。
【００１６】
また、請求項７の発明では、前記保持台の左右端部の押圧部材取り付け位置が複数箇所有することを特徴とするものである。
【００１７】
また、請求項８の発明では、前記保持台に、押圧部材位置の上部、又は下部に押圧部材に沿って凸部を設けたことを特徴とするものである。
【発明の効果】
【００１８】
本発明は、収納袋を収納保持装置に吊り下げ床上に置かないため、床のスペースを取らず、収納保持装置を壁面上下に取り付けるようにすればより少ないスペースに複数の収納袋を吊るすことができる。
【００１９】
また、収納袋をレジ袋の再使用にすれば、資源の再利用を図ることが出来る。
【００２０】
また、ゴミ箱が不要なためゴミ箱を洗う手間が省ける。
【００２１】
また、押圧部材で収納袋開口部を閉成することで臭いを防ぐことができ、更に押圧部材の上部、又は下部に押圧部材に沿って凸部を設けることにより、収納袋の密封度を高めることができる。
【図面の簡単な説明】
【００２２】
【図１】本発明の実施例１を示す正面図である。
【図２】本発明の実施例１を示す側面図である。
【図３】本発明の実施例１を示す正面図である。
【図４】本発明の実施例２を示す正面図である。
【図５】本発明の実施例２を示す側面図である。
【図６】本発明の実施例３を示す正面図である。
【発明を実施するための形態】
【００２３】
以下、本発明の実施形態について図面を参照して説明する。
【実施例１】
【００２４】
図１は、本発明の実施例１を示す正面図で、図２は本発明の実施例１を示す側面図である。
【００２５】
この実施例１は、収納保持装置１に小さいレジ袋９を吊り下げた例である。保持台２には、上部にレジ袋を吊り下げるためのフック３と、下部には押圧部材である伸縮性の紐６を掛ける一対のフック４a・４bが両端部に設けられている。この一対のフック４a・４bは、この実施例１では３か所に設けられている。この一対のフック４a・４bには、吊り下げ方向に対して交差する方向に長い押圧部材の紐６を掛け、吊り下げたレジ袋９の開口部を一時的に閉成する。また、この保持台２にはレジ袋の密封度を高めるため押圧部材に沿って横長の凸部が設けられている。この凸部５は、それぞれ一対のフック４a・４bに紐６をかけた場合、紐６が凸部５の間に位置する位置に凸部５が４か所横長に設けられている。なお、凸部は、複数個一列に配列した構造でもよく、また押圧部材を少し傾けて設けてもよい。
【００２６】
図３は、大きなレジ袋１０を用いた場合を示す正面図である。
【００２７】
この図３では、収納保持装置１に大きいレジ袋１０を吊り下げた例を示す。一対のフック４を上下に３か所設けているので、レジ袋の開口部位置に合わせて紐６の位置を変え開口部を閉成している。紐６の位置を変えることで大小さまざまな大きさのレジ袋に対応できる。
【実施例２】
【００２８】
図４は、本発明の実施例２を示す正面図で、図５は、本発明の実施例２の側面図である。
【００２９】
この実施例２は、保持台２aの一部が磁性部材７で、保持台２aには、上部にレジ袋を吊り下げるためのフック３が設けられ、磁石の押圧部材８によって、吊り下げたレジ袋９の開口部を一時的に閉成している。
【実施例３】
【００３０】
図６は、本発明の実施例３を示す正面図である。
【００３１】
この実施例３は、収納保持装置１に小さいレジ袋９を吊り下げ押圧部材を押え棒１２にした例である。保持台２には、上部にレジ袋を吊り下げるためのフック３と、下部には押圧部材である押え棒１２を掛ける一対のフック４c・４dを設けている。一対のフック4c・４dは、この実施例３では３か所に設けられている。吊り下げたレジ袋９の開口部を一時的に閉成するため吊り下げ方向に対して交差する方向に長い押え棒１２で押さえている。押え棒１２の一端は着脱可能としている。押え棒の位置を変えることで大小さまざまな大きさのレジ袋に対応できる。押え棒１２の両端を着脱可能としてもよい。
【符号の説明】
【００３２】
１    収納保持装置
２    保持台
２a   保持台
３    吊り下げ用フック
４a   フック
４b   フック
４c   フック
４d   フック
５    凸部
６    伸縮性の紐
７    磁性部材
８    磁石の押圧部材
９    小さいレジ袋
１０  大きいレジ袋
１１  分別ゴミ
１２  押え棒
【図１】
2012224426.tif 000003
【図２】
2012224426.tif 000004
【図３】
2012224426.tif 000005
【図４】
2012224426.tif 000006
【図５】
2012224426.tif 000007
【図６】
2012224426.tif 000008